(57)【要約】【課題】緊急時に、通報子機から監視部へ非常事態の発生を通報するとともに、他の子機へ非常事態の発生を知らせることができ、監視システムが応答すると通報子機から送話することができ、通報子機が会話できない状態では他の子機が監視システムと会話することができる無線非常通報装置を提供する。【解決手段】非常通報時にＯＮとされる非常通報ボタン１１と、会話を行うか行わないかを通知する会話ボタン１２と、所有者の音声またはその近傍の音声を集音するマイクロホン１３と、親機経由で受信した監視部からの音声を出力するスピーカ１４と、無線非常通報装置を振動させるバイブレータ１６と、監視部との接続状態を表示する表示素子１５−１，１５−２とを備え、構内に設置された親機に無線で収容された無線非常通報装置１。【選択図】        図１
2004229174.tif 000002
【特許請求の範囲】
【請求項１】
構内に設置された親機に無線で収容された無線非常通報装置において、
非常通報時にＯＮとされる非常通報ボタンと、
会話を行うか行わないかを通知する会話ボタンと、
無線非常通報装置の所持者の音声またはその近傍の音声を集音するマイクロホンと、親機経由で受信した監視部からの音声を出力するスピーカと、
無線非常通報装置を振動させるバイブレータと、
監視部との接続状態を表示する表示素子と
を備えることを特徴とする無線非常通報装置。
【請求項２】
表示素子が、２色の表示素子からなり、親機からの指示により少なくとも３色の状態を区別して表示するようにしたことを特徴とする請求項１に記載の無線非常通報装置。
【請求項３】
親機からの指示によってマイクロホンとスピーカが選択的にＯＮまたはＯＦＦとされることを特徴とする請求項１に記載の無線非常通報装置。
【請求項４】
親機からの指示によってバイブレータが間欠振動または連続振動もしくは停止することを特徴とする請求項１に記載の無線非常通報装置。
【発明の詳細な説明】
【０００１】
【発明の属する技術分野】
本発明は、非常通報装置親機と、該親機と無線通信する無線非常通報装置と、非常通報装置親機と通信回線を介して接続された監視部とからなる非常通報システムを構成する無線非常通報装置に関する。
【０００２】
【従来の技術】
位置の認識や緊急の通報を行う位置検知小型カードと、位置検知小型カードと通信するＰＨＳ固定局と、ＰＨＳ固定局と接続される監視装置とからなる位置検知小型カード通信システムが提案されている（例えば、特許文献１参照）。
【０００３】
この位置検知小型カード通信システムは、ＰＨＳ固定局と通信するアンテナと、アンテナに接続される無線送受信装置と、無線通信装置に接続されるワンチップマイクロコンピュータと、ワンチップマイクロコンピュータに接続される監視装置からの信号を受信したことを通報する報知装置と、ワンチップマイクロコンピュータに接続される監視装置への信号を発信する緊急通報ボタンとを設けた位置検知小型カードと、この位置検知小型カードと通信できるＰＨＳ固定局と、このＰＨＳ固定局と接続される監視装置とを設けて構成されている。
【０００４】
この位置検知小型カード通信システムは、通話機能を有していないので、監視装置と位置検知小型カードとの間では信号を送受信することしかできず、緊急時に双方の間で通話することができない。
【０００５】
【特許文献１】
特開平１１−２３２５７４号公報
【０００６】
【発明が解決しようとする課題】
本発明は、無線非常通報システムにおいて、緊急時に、ある無線非常通報装置（通報子機という）から監視部へ非常事態の発生を通報するとともに、他の無線非常通報装置（他の子機という）へ非常事態の発生を知らせることができ、監視システムが応答すると通報子機から送話（モニタ）や会話することができ、通報子機が会話できない状態でも他の子機が監視システムと会話することができる無線非常通報装置を提供することを目的とする。
【０００７】
【課題を解決するための手段】
上記課題を解決するために、本発明は、構内に設置された親機に無線で収容された無線非常通報装置において、非常通報時にＯＮとされる非常通報ボタンと、会話を行うか行わないかを通知する会話ボタンと、無線非常通報装置の所持者の音声またはその近傍の音声を集音するマイクロホンと、親機経由で受信した監視部からの音声を出力するスピーカと、無線非常通報装置を振動させるバイブレータと、監視部との接続状態を表示する表示素子とを備え形成した。
【０００８】
さらに、本発明は、上記無線非常通報装置において、表示素子が、２色の表示素子からなり、親機からの指示によって少なくとも３色の状態を区別して表示するようにし、親機からの指示によってマイクロホンとスピーカが選択的にＯＮ又はＯＦＦされ、親機からの指示によってバイブレータが間欠振動または連続振動もしくは停止するようにした。
【０００９】
【発明の実施の形態】
本発明にかかる無線非常通報装置を用いた無線非常通報システムの構成を、図２を用いて説明する。無線非常通報システムは、無線通信が行える構内４に配置された複数の無線非常通報装置（以下、子機ということがある）１−１〜１−ｎを配下に含む非常通報装置親機（以下、親機ということがある）３と、監視部７とを、通信網５を介して接続して構成される。
【００１０】
非常通報装置親機３は、例えばコンビニエンスストア店内などの構内４において、複数の無線非常通報装置１−１〜１−ｎと無線通信を行う機能と、非常通報ボタンをＯＮにした無線非常通報装置（以下、通報子機という）１−１からの非常通報ボタンＯＮ信号（以下、非常通報信号という）を受信した時に通信網５を介して監視部７を呼び出すとともに通報子機１−１と通報子機以外の他の無線非常通報装置（以下、他の子機という）１−２〜１−ｎを呼び出し、子機の動作状態を制御する機能と、監視部７が応答したときに子機１−１〜１−ｎに監視部７から応答があったことを通知する機能などを有している。
【００１１】
無線非常通報装置（子機）１は、非常通報装置親機３との間で無線通信を行う無線通信機能と、親機３経由で監視部７へ非常通報を送出する非常通報機能と、親機３を経由して監視部７との間で通話する通話機能と、監視部７との接続状態などを表示する状態表示機能とを有している。
【００１２】
監視部７は、例えば警備会社や警察・消防署などの緊急通報先であり、子機からの非常通報を受けて、子機からの送話をモニタする機能と、子機との間で通話する機能を有している。
【００１３】
無線非常通報装置（子機）１の外観構成を、図３を用いて説明する。図３は無線非常通報装置（子機）１の裏面の形状を示している。子機１は、名札の形状に構成され、表面に名札が取りつけられ、裏面に非常通報ボタン１１と、会話ボタン１２と、マイクロホン１３と、スピーカ１４と、発光ダイオード（赤、緑）からなる表示素子１５−１，１５−２と、電源部蓋２８と、クリップ取付穴２９と、ストラップ取付穴２７を有している。電源部蓋２８を開けて電源用電池を交換することができ、クリップ取付穴２９に鰐口クリップなどの取り付け手段を取り付け、ストラップ取付穴２７にストラップなどを取り付ける。
【００１４】
無線非常通報装置（子機）１の機能構成を、図１を用いて説明する。無線非常通報装置（子機）１は、非常通報ボタン１１と、会話ボタン１２と、マイクロホン（以下、マイクという）１３と、スピーカ１４と、赤および緑の発光ダイオードからなる表示素子１５−１，１５−２と、バイブレータ１６と、バイブレータ駆動部１７と、無線送受信装置１８と、アンテナ１９と、音声処理部２０と、無線制御及びデータ送受信部２１と、データ制御処理部２２と、データ入力処理部２３と、表示素子駆動制御部２４と、制御記憶回路２５と、状態格納回路２６とを有して構成される。
【００１５】
非常通報ボタン１１は、非常を通知するときにＯＮとされるボタンであり、解除するまでＯＮ状態を維持する。
【００１６】
会話ボタン１２は、監視部７と双方向会話をするときに使用されるボタンであり、双方向会話可能な状態にないときに押し下げることによって、会話ボタン押し下げ信号を出力して双方向会話できない状態にあることを親機３へ通知し、双方向会話可能な状態において押し下げることによって会話ボタン押し下げ信号を出力して通話ができる状態であることを親機３へ通知する働きを有している。
【００１７】
マイク１３は、監視部７へ通報者の音声または通報者近傍の音声を送出する手段である。
【００１８】
スピーカ１４は、監視部７からの音声を出力する手段である。
【００１９】
表示素子１５−１，１５−２は、赤および緑の発光ダイオードからなり、視覚により通信及び電池残量の状態を判別できるようにしてある。表示素子（赤／緑）１５−１を２本の制御により赤色、緑色、橙色の３色により通信状態を表示する。表示素子（赤／緑）１５−２を２本の制御により赤色、緑色、橙色の３色により電池残量状態を表示する。
【００２０】
バイブレータ１６は、自体振動することによって本体を振動させる機能を有している。
【００２１】
バイブレータの駆動部１７は、バイブレータ１６を連続振動または間欠振動もしくは停止させる駆動部である。
【００２２】
無線送受信装置１８は、非常通報装置親機３との交信を、電波にして送出したり受信したりする手段である。
【００２３】
アンテナ１９は、親機３へ電波を送出し、親機３からの電波を受信する手段であり、子機１の筺体に内蔵される。
【００２４】
音声処理部２０は、データ制御処理部２２からの指令により無線制御およびデータ送受信部２１からのデータを変換しスピーカ１４に伝えたり、切り離したりして、スピーカ１４をＯＮ、ＯＦＦする機能を有している。さらに、音声処理部２０は、データ制御処理部２２からの指令により、マイク１３からの音声をデータに変換して無線制御およびデータ送受信部２１へ伝えたり、切り離したりして、マイク１３をＯＮ、ＯＦＦする機能を有している。
【００２５】
無線制御およびデータ送受信部２１は、無線送受信装置１８を制御し、非常通報装置親機３との間でデータを送出したり受けたりする機能を有している。
【００２６】
データ制御処理部２２は、子機全体を動作させる指令を送出したり指令を受けたり、データを処理する機能を有している。
【００２７】
データ入力処理部２３は、非常通報ボタン１１と会話ボタン１２の状態が入力され、その状態をデータ処理制御部２２へ送出する機能を有している。
【００２８】
表示素子駆動制御部２４は、データ制御処理部２２からの指令を受けて、表示素子１５−１，１５−２の点灯および滅灯を制御する機能を有している。
【００２９】
制御記憶回路２５は、動作処理、親機との更新の指令内容が記憶されている回路である。
【００３０】
状態格納回路２６は、子機の動作状態を格納しておく回路である。
【００３１】
図４を用いて、本発明にかかる無線非常通報装置（子機）１を用いた非常通報システムにおける、非常通報時における処理の流れの第１の動作の態様（モニタモード）を説明する。
【００３２】
例えば、無線非常通報装置（子機）１−１の所持者（以下、通報者という）が非常事態の発生を認識して非常通報ボタン１１をＯＮにする（ステップＳ１）と、非常通報信号が無線送受信装置１８を経由して非常通報装置（親機）３へ送信される（ステップＳ２）。以下、非常通報ボタンＯＮとした子機を通報機という。非常通報信号を検知した（ステップＳ３）親機３は予め設定されている監視部７へ呼接続処理と非常通報信号を送信する処理を実行するとともに（ステップＳ４）、他の子機１−２〜１−ｎを呼び出し、他の子機のバイブレータ１６の間欠動作を指令する通報動作発生通知を送信した（ステップＳ５）後、通報子機１−１を呼び出し（ステップＳ６）、表示素子（緑）１５−１の点灯とバイブレータ１６の間欠振動を指令する通報動作モード通知を送信する（ステップＳ７）。
【００３３】
監視部７は、呼信号を受信した後（ステップＳ８）、応答処理を実行して親機３へ応答信号を送信する（ステップＳ９）。
【００３４】
親機３から通報動作発生通知を受けた他の子機１−２〜１−ｎは、表示素子１５−１、１５−２を滅灯したままバイブレータ１６を間欠振動させる（ステップＳ１０）。これにより他の子機１−２〜１−ｎの所持者は、構内４において、非常事態が発生し、自分以外のいずれかの子機が監視部７へ通報したことを知ることができる。
【００３５】
親機３から表示素子（緑）１５−１を点灯しバイブレータ１６を間欠振動させる通報動作モード通知を受けた通報子機１−１は、表示素子（緑）１５−１を点灯するとともにバイブレータ１６を間欠振動させる（ステップＳ１１）。これにより通報者は、非常事態の発生を知らせる通報が監視部７へ通報されたことを知ることができる。
【００３６】
監視部７が応答すると（ステップＳ７）、親機３は、監視部７との応答を検知して（ステップＳ１２）、他の子機１−２〜１−ｎへ監視部７が応答したことを通知する応答状態通知を送信する（ステップ１３）とともに、通報子機１−１へ、監視部７が応答したことを通知する発光素子（赤）１５−１の点灯指令、バイブレータ停止指令、マイクＯＮ指令、スピーカＯＦＦ指令からなる片方向通話動作指令を送信する（ステップＳ１４）。
【００３７】
親機３から応答状態通知を受けた他の子機１−２〜１−ｎは、発光素子１５−１，１５−２を滅灯したままバイブレータ１６を連続振動させる（ステップＳ１５）。これにより、他の子機１−２〜１−ｎの所持者は、応答状態となったことを知ることができる。
【００３８】
親機３から片方向通話動作指令を受けた通報子機１−１は、発光素子（赤／緑）１５−１を両方とも点灯させて橙色に発光させ、バイブレータ１６を停止する。これにより通報者は、監視部７が応答したことおよび通報者およびその近傍の音声が監視部７へ送信されることを知ることができる。通報子機１−１は、音声処理部２０の動作によってマイク１３をＯＮにし、スピーカ１４をＯＦＦとして（ステップＳ１６）、片方向通話状態となり、片方向通話状態通知と、通報者の音声または通報者近傍の音声を親機３へ送信する。
【００３９】
片方向通話状態通知を受けた親機３は、通報子機１−１からの音声を監視部７へ送出する（ステップＳ１７）。監視部７は、通報子機１−１から送信された音声をモニタする（ステップ１８）。このようにして、監視部７は通報子機１−１からの送話をモニタして、非常通報装置３が設置された構内４において、非常事態が発生したこととその概要を知ることができる。
【００４０】
このような状態で子機１−１〜１−ｎのいずれかが双方向通話可能な状態にあるときには、通話可能な子機（以下、会話子機という）１−Ｔが会話ボタン１２を押し下げて、会話可能信号を親機３へ送信して会話可能を通知する（ステップＳ１９）。会話可能信号を受けた親機３は、会話子機以外の子機に発光素子１５−１、１５−２滅灯指令とバイブレータ間欠動作指令からなる会話状態通知を送信する（ステップＳ２０）とともに、会話子機１−Ｔを会話状態へ移行させる会話動作指令を会話子機１−Ｔへ送信する（ステップＳ２１）。
【００４１】
会話状態通知を受けた会話子機以外の子機は、発光素子１５−１、１５−２を滅灯するとともにバイブレータ１６を間欠振動させる（ステップＳ２２）。このことにより会話子機以外の子機は、構内にあるいずれかの子機が監視部７と会話状態になったことを知ることができる。
【００４２】
会話動作指令を受けた会話子機１−Ｔは、発光素子（赤）１５−１を点灯させ、バイブレ−タ１６の振動を停止させ、マイク１３とスピーカ１４をＯＮにして、会話動作へ移行するとともに会話動作へ移行したことを通知する会話動作状態通知を親機３へ送信する（ステップＳ２３）。
【００４３】
会話動作状態通知を受けた親機３が、会話子機１−Ｔと監視部７との通話路を形成して（ステップＳ２４）、監視部７と会話子機１−Ｔが双方向で通話することができる（ステップＳ２５）。
【００４４】
このようにして、非常事態を認識した通報者は監視部７へ非常事態の発生を通報することができるとともに、他の子機に対して非常事態の発生を知らせることができる。通報者と監視部の間に通話路を形成した後、通報者やその近傍の音声を監視部へ送信し、監視部が非常事態の内容をモニタすることができる。この処理の間は監視部からの音声がスピーカから出力されないので、通報者と対峙している例えば加害者は、非常事態が通報されその音声が監視部にモニタされていることを知ることができない。
【００４５】
このような状態で、通報者または他の子機の所持者が通話できる場合には、会話ボタンを押し下げることで監視部との間で双方向の通話を行うことができる。
【００４６】
図５を用いて、本発明の第２の動作態様（通話モード）を説明する。この通話モ−ドの動作態様は、無線非常通報装置（通報子機）１−１が非常通報信号を監視部７へ送信した後、監視部から応答を受けた時点で、直ちに通報子機１−１が監視部７と双方向通話できるようになっている点で第１の実施の形態と相違している。
【００４７】
図５に示すように、通報子機１−１が親機３経由で監視部７に非常事態の発生を通報した（ステップＳ１〜Ｓ８）後、親機３が監視部７から応答を受ける処理（ステップＳ１２）までは、第１の実施の形態における処理と同じである。
【００４８】
監視部７から応答を受けた親機３は、通報子機１−１に監視部７が応答したことを通知するとともに会話動作状態に移行することを指令する会話動作指令を通知する（ステップＳ３１）。この会話動作指令は、発光素子（赤）１５−１をＯＮ，バイブレータ振動停止，マイクＯＮ，スピーカＯＮとする指令である。この会話動作指令を受けた通報子機１−１は、発光素子（赤）１５−１をＯＮとし、バイブレータ１６の振動を停止し、マイク１３をＯＮにし、スピーカ１４をＯＮにして、会話動作状態にセットする（ステップＳ３２）とともに、会話動作状態となったことを知らせる会話動作状態通知を親機３へ通知する。親機３は、通報子機１−１が会話動作状態にセットされたことを知ると、通報子機１−１と監視部７との間に通話路を形成する（ステップＳ３３）。
【００４９】
会話動作状態にセットされた通報子機１−１からは、マイク１３から通報者とその近傍の音声が親機３を経由して監視部７へ送出され、監視部７からの音声はスピーカ１４から通報者へ届けられる。このようにして、通報者と監視部７とは、双方向で通話することができる。
【００５０】
このように、通報者と監視部７が双方向で通話可能な会話動作状態の下で、通報者が監視部７と通話できない状況にある場合の処理を、続けて説明する。
【００５１】
このような状況にあるときには、通報者は、通報子機１−１の会話ボタン１２を押し下げる（ステップＳ４１）と、会話ボタン押下信号が親機３に通知される。
【００５２】
会話ボタン押下信号を受けた（ステップＳ４２）親機３は、会話動作状態にあるときに会話ボタンが押下げられたことから双方向通話（会話）ができないと判断して、通報子機１−１が双方向通話できない状態にあることなどを、トーキなどにより監視部７へ通知する（ステップＳ４３）。監視部７は、通報子機１−１が双方向通話できないことを知り、通報子機１−１との間で双方向通話せずにマイク１３からの音声をモニタする（ステップＳ４４）。
【００５３】
親機３は、通報子機１−１以外の他の子機１−２〜１−ｎへ、発光素子１５−１を滅，バイブレータ連続振動を指令する応答状態通知を送出する（ステップＳ４５）。
【００５４】
応答状態通知を受けた他の子機１−２〜１−ｎは、発光素子１５−１を滅灯とし、バイブレータ１６を連続振動させて（ステップＳ４６）、監視部７が応答したが通報子機１−１が監視部７からの音声を聞くことができない片方向通話状態であることを、他の子機の所持者に知らせる。
【００５５】
次いで、親機３は、通報子機１−１へ、赤と緑の発光素子点灯，バイブレータ振動停止，マイクＯＮ，スピーカＯＦＦとする片方向通話動作指令を送信する（ステップＳ４７）。
【００５６】
片方向通話動作指令を受けた通報子機１−１は、発光素子（赤／緑）１５−１の双方を点灯して橙色を表示させ、バイブレータ１６の振動を停止させ、マイク１３をＯＮにして通報者近傍の音声を送信できるようにし、スピーカ１４をＯＦＦにして監視部７からの音声を出力しないようにして片方向通話動作状態にセットする（ステップＳ４８）とともに、片方向通話状態通知を送出して片方向通話状態にセットしたことを親機３へ通知する。
【００５７】
片方向通話状態通知を受けた親機３は、監視部７へ、通報子機１−１が片方向通話状態にあることを知らせるとともに、通報子機１−１からの送話のみを送信する（ステップＳ４９）。監視部７は、通報子機１−１からの音声をモニタして状況を把握する（ステップＳ５０）。
【００５８】
このようにして、監視部７が通報子機１−１の音声をモニタすることができ、他の子機１−２〜１−ｎは、非常通報した通報者が監視部と双方向通話できないことを知ることができる。
【００５９】
このような状況下にある時点で、他の子機１−２〜１−ｎのいずれかが、双方向通話可能であるときには、通話可能な子機（会話子機）１―Ｔが第１の実施例と同様に、通話ボタン１２を押し下げて会話可能信号を親機３へ送出し（ステップＳ１９）、会話ボタン押下げを検知した親機３は、会話子機１−Ｔ以外の通報子機を含む他の子機に対して、会話状態信号を送信する（ステップＳ２０）。次いで、親機３は，会話子機１−Ｔへ、会話動作指令を送出する（ステップＳ２１）。
【００６０】
会話状態信号を受けた他の子機は、発光素子１５−１、１５−２を滅灯とし、マイク１３及びレシーバ１４をＯＦＦとし、バイブレータ１６を間欠振動の状態に移行する（ステップＳ２２）。会話動作指令を受けた会話子機１−Ｔは、発光素子（赤）１５−１を点灯、バイブレ−タ１６の振動を停止し、マイク１３とスピーカ１４をＯＮにして会話動作状態に移行し、会話動作状態信号を親機３に送出する（ステップＳ２３）。会話動作状態信号を受けた親機３は、会話子機１−Ｔと監視部７の通話路を形成し（ステップＳ２４）、会話子機１−Ｔと監視部７の間で双方向通話が行われる（ステップＳ２５）。
一方、通報子機１−１〜通話中に通話を終了する旨を告げられた監視部７は、オンフックして通話終話して終話信号を親機３へ送信する（ステップＳ７７）。
【００６１】
このようにして、通話モードにおいては、通報子機が非常通報することによって、監視部と会話できる状態となるが、この場合通報者が監視部と通話しないほうがよいと判断したときには、図４に示したモニタモードに移行して、他の子機が監視部と会話することができる。
【００６２】
図６を用いて、第３の動作態様（非常通報モード）を説明する。この実施の形態は、図４に示した第４の実施の形態において、親機３からの非常通報に対して監視部７から応答があった（ステップＳ１２）後、親機３が監視部７との回線を断とし（ステップＳ６１）、監視部７が親機３を呼び出すと（ステップＳ６２）、親機３は呼出しに応答し（ステップＳ６３）、その後その他の子機１−２〜１−ｎに応答通知を送信し（ステップＳ１３）、以降、第１の動作態様と同様に会話子機との通話を行う態様である。
【００６３】
次に、図７を用いて、通報子機１−１からの非常通報を解除するときの処理を説明する。監視部７と通報子機１−１とが通話中に、通報子機１−１から非常通報を解除する場合には、通報者は、表示素子１５−１，１５−２滅灯、バイブレータ１６停止、マイクＯＮ、スピーカＯＮの状態にある通報子機１−１の、非常通報ボタン１１をＯＦＦにして（ステップＳ７２）、非常解除通知を送出する（ステップＳ７３）。親機３が非常解除通知を受信すると（ステップＳ７４）、非常状態解除通知を他の子機１−２〜１−ｎに送出する（ステップＳ７５）。非常状態解除通知を受けたその他の子機１−２〜１−ｎは、表示素子を滅灯するとともにバイブレータ１６を停止して（ステップＳ７６）、待機状態へ移行する。
【００６４】
一方、通報子機１−１〜通話中に通話を終了する旨を告げられた監視部７は、オンフックして通話終話して終話信号を親機３へ送信する（ステップＳ７７）。
【００６５】
監視部７からの終話信号を受けた親機３は、子機終話通知を通報子機１−１へ送信する（ステップＳ７８）。子機終話通知を受信した通報子機１−１は、発光素子１５−１，１５−２を滅灯し、バイブレータ１６を停止し、マイク１２をＯＦＦ、スピーカ１４をＯＦＦとして待機状態へ移行する（ステップＳ７９）。
【００６６】
このようにして、通報子機１−１から非常通報を解除することができる。
【００６７】
【発明の効果】
以上のように、本発明によれば、無線非常通報装置を提供して、非常通報システムを構成することができる。
【００６８】
本発明によれば、無線非常通報システムにおいて、緊急時に、通報子機から監視部へ非常事態の発生を通報するとともに、他の子機へ非常事態の発生を知らせることができ、監視システムが応答すると通報子機から送話することができ、通報子機が会話できない状態では他の子機が監視システムと会話することができる無線非常通報装置を提供することをができる。
【図面の簡単な説明】
【図１】本発明にかかる無線非常通報装置（子機）の機能構成を説明する機能ブロック図。
【図２】本発明にかかる無線非常通報装置（子機）を用いた非常通報システムの構成の概要を説明する図。
【図３】本発明にかかる無線非常通報装置（子機）の外観を説明する図。
【図４】モニタモードにおける処理の流れを説明する図。
【図５】通話モードにおける処理の流れを説明する図。
【図６】非常通話モードにおける処理の流れを説明する図。
【図７】非常通報解除における処理の流れを説明する図。
【符号の説明】
１  無線非常通報装置（子機）
３  非常通報装置親機
５  通信網
７  監視部
１１  非常通報ボタン
１２  会話ボタン
１３  マイクロホン
１４  スピーカ
１５  表示素子（ＬＥＤ）
１６  バイブレータ
１７  バイブレータ駆動部
１８  無線送受信装置
１９  アンテナ
２０  音声処理部
２１  無線制御およびデータ送受信部
２２  データ制御処理部
２３  データ入力処理部
２４  駆動制御部
【図１】
2004229174.tif 000003
【図２】
2004229174.tif 000004
【図３】
2004229174.tif 000005
【図４】
2004229174.tif 000006
【図５】
2004229174.tif 000007
【図６】
2004229174.tif 000008
【図７】
2004229174.tif 000009